(57)【要約】  本願の実施例は通信方法、ネットワーク装置及び端末装置を開示し、該方法は、第１ネットワーク装置が第２ネットワーク装置から送信された第１情報と前記第１情報の有効性情報を受信し、前記第１情報が無線アクセスパラメータであり、前記第１情報の有効性情報は前記第１情報の適用条件を示すことに用いられることを含む。
2021519554.tif 000002
【特許請求の範囲】
【請求項１】
通信方法であって、
第１ネットワーク装置が第２ネットワーク装置から送信された第１情報と前記第１情報の有効性情報を受信し、前記第１情報が無線アクセスパラメータであり、前記第１情報の有効性情報が前記第１情報の適用条件を示すことに用いられることを含むことを特徴とする通信方法。
【請求項２】
前記第１情報の有効性情報は前記第１情報の適用する時間情報及び／又は前記第１情報の適用する領域情報を含むことを特徴とする請求項１に記載の方法。
【請求項３】
前記第１情報の有効性情報は、前記第２ネットワーク装置が前記端末装置の情報、前記端末装置のサービス情報、第３ネットワーク装置の提供する情報のうちの少なくとも１つに基づいて決定したものであることを特徴とする請求項１又は２に記載の方法。
【請求項４】
前記端末装置の情報は前記端末装置のモビリティ領域情報及び／又は端末装置のサービス能力情報を含むことを特徴とする請求項３に記載の方法。
【請求項５】
前記端末装置のモビリティ領域情報は、前記端末装置の登録エリア情報、前記端末装置の追跡エリア情報、前記端末装置のページングエリア情報、設定されたセル又は基地局の集合のうちの少なくとも１つを含むことを特徴とする請求項４に記載の方法。
【請求項６】
前記端末装置のモビリティ領域情報は前記端末装置の履歴移動領域情報に基づいて決定されたものであることを特徴とする請求項４又は５に記載の方法。
【請求項７】
前記端末装置のサービス情報は前記端末装置のサービス優先度情報及び／又は前記端末装置のネットワークスライス情報を含むことを特徴とする請求項３〜６のいずれか１項に記載の方法。
【請求項８】
前記端末装置のネットワークスライス情報は、前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含むことを特徴とする請求項７に記載の方法。
【請求項９】
前記方法は更に、
前記第１ネットワーク装置が前記第１情報及び前記第１情報の有効性情報を端末装置に設定することを含むことを特徴とする請求項１〜８のいずれか１項に記載の方法。
【請求項１０】
前記第１ネットワーク装置が第１アクセスネットワーク装置であり、前記第２ネットワーク装置がコアネットワーク装置又は第２アクセスネットワーク装置であり、又は、
前記第１ネットワーク装置が第１コアネットワーク装置であり、前記第２ネットワーク装置が第２コアネットワーク装置又はアクセスネットワーク装置であることを特徴とする請求項１〜９のいずれか１項に記載の方法。
【請求項１１】
前記第１情報は、無線アクセス技術（ＲＡＴ）優先度情報、周波数優先度情報及びネットワークスライスの情報のうちの少なくとも１つを含むことを特徴とする請求項１〜１０のいずれか１項に記載の方法。
【請求項１２】
通信方法であって、
第２ネットワーク装置が第１情報の有効性情報を決定し、前記第１情報が無線アクセスパラメータであり、前記第１情報の有効性情報は前記第１情報の適用条件を示すことに用いられることと、
前記第２ネットワーク装置が第１ネットワーク装置に前記第１情報の有効性情報を送信することと、を含むことを特徴とする通信方法。
【請求項１３】
前記第１情報の有効性情報は前記第１情報の適用する時間情報及び／又は前記第１情報の適用する領域情報を含むことを特徴とする請求項１２に記載の方法。
【請求項１４】
前記第２ネットワーク装置が第１情報の有効性情報を決定することは、
前記第２ネットワーク装置が前記端末装置の情報、前記端末装置のサービス情報、第３ネットワーク装置の提供する情報のうちの少なくとも１つに基づいて、前記第１情報の有効性情報を決定することを含むことを特徴とする請求項１２又は１３に記載の方法。
【請求項１５】
前記端末装置の情報は前記端末装置のモビリティ領域情報及び／又は端末装置のサービス能力情報を含むことを特徴とする請求項１４に記載の方法。
【請求項１６】
前記端末装置のモビリティ領域情報は、前記端末装置の登録エリア情報、前記端末装置の追跡エリア情報、前記端末装置のページングエリア情報、設定されたセル又は基地局の集合のうちの少なくとも１つを含むことを特徴とする請求項１５に記載の方法。
【請求項１７】
前記端末装置のモビリティ領域情報は前記端末装置の履歴移動領域情報に基づいて決定されたものであることを特徴とする請求項１５又は１６に記載の方法。
【請求項１８】
前記端末装置のサービス情報は前記端末装置のサービス優先度情報及び／又は前記端末装置のネットワークスライス情報を含むことを特徴とする請求項１４〜１７のいずれか１項に記載の方法。
【請求項１９】
前記端末装置のネットワークスライス情報は、前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含むことを特徴とする請求項１８に記載の方法。
【請求項２０】
前記第２ネットワーク装置が第１ネットワーク装置に前記第１情報の有効性情報を送信することは、
前記第２ネットワーク装置が前記第１ネットワーク装置に前記第１情報及び前記第１情報の有効性情報を送信することを含むことを特徴とする請求項１２〜１９のいずれか１項に記載の方法。
【請求項２１】
前記第１ネットワーク装置が第１アクセスネットワーク装置であり、前記第２ネットワーク装置がコアネットワーク装置又は第２アクセスネットワーク装置であり、又は、
前記第１ネットワーク装置が第１コアネットワーク装置であり、前記第２ネットワーク装置が第２コアネットワーク装置又はアクセスネットワーク装置であることを特徴とする請求項１２〜２０のいずれか１項に記載の方法。
【請求項２２】
前記第１情報は、無線アクセス技術（ＲＡＴ）優先度情報、周波数優先度情報及びネットワークスライスの情報のうちの少なくとも１つを含むことを特徴とする請求項１２〜２１のいずれか１項に記載の方法。
【請求項２３】
通信方法であって、
端末装置が第１ネットワーク装置から送信された第１情報を受信し、前記第１情報が無線アクセスパラメータであることと、
前記端末装置が前記第１情報の有効性情報に基づいて、前記第１情報を使用するかどうかを決定し、前記第１情報の有効性情報は前記第１情報の適用条件を示すことに用いられることと、を含むことを特徴とする通信方法。
【請求項２４】
前記第１情報の有効性情報は前記第１情報の適用する時間情報及び／又は前記第１情報の適用する領域情報を含むことを特徴とする請求項２３に記載の方法。
【請求項２５】
前記端末装置が前記第１情報の有効性情報に基づいて、前記第１情報を使用するかどうかを決定することは、
現在時間が前記第１情報の適用する時間範囲内にある場合、前記端末装置は前記第１情報を使用することを決定すること、又は、
現在時間が前記第１情報の適用する時間範囲内にない場合、前記端末装置は前記第１情報を使用しないことを決定することを含むことを特徴とする請求項２３又は２４に記載の方法。
【請求項２６】
前記端末装置が前記第１情報の有効性情報に基づいて、前記第１情報を使用するかどうかを決定することは、
前記端末装置の現在位置する領域が前記第１情報の適用する領域範囲内にある場合、前記端末装置は前記第１情報を使用することを決定すること、又は、
前記端末装置の現在位置する領域が前記第１情報の適用する領域範囲内にない場合、前記端末装置は前記第１情報を使用しないことを決定することを含むことを特徴とする請求項２３〜２５のいずれか１項に記載の方法。
【請求項２７】
前記方法は更に、
前記端末装置が前記第１情報の有効性情報を決定することを含むことを特徴とする請求項２３〜２６のいずれか１項に記載の方法。
【請求項２８】
前記端末装置が前記第１情報の有効性情報を決定することは、
前記端末装置が前記第１ネットワーク装置の設定した前記第１情報の有効性情報を受信することを含むことを特徴とする請求項２７に記載の方法。
【請求項２９】
前記端末装置が前記第１情報の有効性情報を決定することは、
前記端末装置に前記第１情報の適用する領域情報が設定されていない場合、前記端末装置が前記第１情報の適用する領域を特定領域又は任意領域として決定することを含むことを特徴とする請求項２７又は２８に記載の方法。
【請求項３０】
前記特定領域は、前記端末装置が現在駐在するセル、前記端末装置のページング領域、前記端末装置の登録領域、前記端末装置の追跡領域、前記端末装置のサービス領域のうちの少なくとも１つを含むことを特徴とする請求項２９に記載の方法。
【請求項３１】
前記端末装置が前記第１情報の有効性情報を決定することは、
前記端末装置に前記第１情報の適用する時間情報が設定されていない場合、前記端末装置が前記第１情報の適用する時間を任意時間又は特定時間として決定し、又は前記第１情報の適用する時間長さを任意時間長さ又は特定時間長さとして決定することを含むことを特徴とする請求項２７〜３０のいずれか１項に記載の方法。
【請求項３２】
前記特定時間は予め設定された時間又は通信システムが規定した時間であり、前記特定時間長さは予め設定された時間長さ又は通信システムが規定した時間長さであることを特徴とする請求項３１に記載の方法。
【請求項３３】
前記第１情報の有効性情報は、第２ネットワーク装置が前記端末装置の情報、前記端末装置のサービス情報、第３ネットワーク装置の提供する情報のうちの少なくとも１つに基づいて決定したものであることを特徴とする請求項２３〜３２のいずれか１項に記載の方法。
【請求項３４】
前記端末装置の情報は前記端末装置のモビリティ領域情報及び／又は端末装置のサービス能力情報を含むことを特徴とする請求項３３に記載の方法。
【請求項３５】
前記端末装置のモビリティ領域情報は、前記端末装置の登録エリア情報、前記端末装置の追跡エリア情報、前記端末装置のページングエリア情報、設定されたセル又は基地局の集合のうちの少なくとも１つを含むことを特徴とする請求項３４に記載の方法。
【請求項３６】
前記端末装置のモビリティ領域情報は前記端末装置の履歴移動領域情報に基づいて決定されたものであることを特徴とする請求項３４又は３５に記載の方法。
【請求項３７】
前記端末装置のサービス情報は前記端末装置のサービス優先度情報及び／又は前記端末装置のネットワークスライス情報を含むことを特徴とする請求項３３〜３６のいずれか１項に記載の方法。
【請求項３８】
前記端末装置のネットワークスライス情報は、前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含むことを特徴とする請求項３７に記載の方法。
【請求項３９】
前記第１ネットワーク装置が第１アクセスネットワーク装置であり、前記第２ネットワーク装置がコアネットワーク装置又は第２アクセスネットワーク装置であり、又は、
前記第１ネットワーク装置が第１コアネットワーク装置であり、前記第２ネットワーク装置が第２コアネットワーク装置又はアクセスネットワーク装置であることを特徴とする請求項３３〜３８のいずれか１項に記載の方法。
【請求項４０】
前記第１情報は、無線アクセス技術（ＲＡＴ）優先度情報、周波数優先度情報及びネットワークスライスの情報のうちの少なくとも１つを含むことを特徴とする請求項２３〜３９のいずれか１項に記載の方法。
【請求項４１】
ネットワーク装置であって、
第２ネットワーク装置から送信された第１情報と前記第１情報の有効性情報を受信することに用いられ、前記第１情報が無線アクセスパラメータであり、前記第１情報の有効性情報は前記第１情報の適用条件を示すことに用いられる通信モジュールを備えることを特徴とするネットワーク装置。
【請求項４２】
前記第１情報の有効性情報は前記第１情報の適用する時間情報及び／又は前記第１情報の適用する領域情報を含むことを特徴とする請求項４１に記載のネットワーク装置。
【請求項４３】
前記第１情報の有効性情報は、前記第２ネットワーク装置が前記端末装置の情報、前記端末装置のサービス情報、第３ネットワーク装置の提供する情報のうちの少なくとも１つに基づいて決定したものであることを特徴とする請求項４１又は４２に記載のネットワーク装置。
【請求項４４】
前記端末装置の情報は前記端末装置のモビリティ領域情報及び／又は端末装置のサービス能力情報を含むことを特徴とする請求項４３に記載のネットワーク装置。
【請求項４５】
前記端末装置のモビリティ領域情報は、前記端末装置の登録エリア情報、前記端末装置の追跡エリア情報、前記端末装置のページングエリア情報、設定されたセル又は基地局の集合のうちの少なくとも１つを含むことを特徴とする請求項４４に記載のネットワーク装置。
【請求項４６】
前記端末装置のモビリティ領域情報は前記端末装置の履歴移動領域情報に基づいて決定されたものであることを特徴とする請求項４４又は４５に記載のネットワーク装置。
【請求項４７】
前記端末装置のサービス情報は前記端末装置のサービス優先度情報及び／又は前記端末装置のネットワークスライス情報を含むことを特徴とする請求項４３〜４６のいずれか１項に記載のネットワーク装置。
【請求項４８】
前記端末装置のネットワークスライス情報は、前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含むことを特徴とする請求項４７に記載のネットワーク装置。
【請求項４９】
前記通信モジュールは更に、前記第１情報及び前記第１情報の有効性情報を端末装置に設定することに用いられることを特徴とする請求項４１〜４８のいずれか１項に記載のネットワーク装置。
【請求項５０】
前記ネットワーク装置が第１アクセスネットワーク装置であり、前記第２ネットワーク装置がコアネットワーク装置又は第２アクセスネットワーク装置であり、又は、
前記ネットワーク装置が第１コアネットワーク装置であり、前記第２ネットワーク装置が第２コアネットワーク装置又はアクセスネットワーク装置であることを特徴とする請求項４１〜４９のいずれか１項に記載のネットワーク装置。
【請求項５１】
前記第１情報は、無線アクセス技術（ＲＡＴ）優先度情報、周波数優先度情報及びネットワークスライスの情報のうちの少なくとも１つを含むことを特徴とする請求項４１〜５０のいずれか１項に記載のネットワーク装置。
【請求項５２】
ネットワーク装置であって、
第１情報の有効性情報を決定することに用いられ、前記第１情報が無線アクセスパラメータであり、前記第１情報の有効性情報は前記第１情報の適用条件を示すことに用いられる決定モジュールと、
第１ネットワーク装置に前記第１情報の有効性情報を送信することに用いられる通信モジュールと、を備えることを特徴とするネットワーク装置。
【請求項５３】
前記第１情報の有効性情報は前記第１情報の適用する時間情報及び／又は前記第１情報の適用する領域情報を含むことを特徴とする請求項５２に記載のネットワーク装置。
【請求項５４】
前記決定モジュールは具体的に、前記端末装置の情報、前記端末装置のサービス情報、第３ネットワーク装置の提供する情報のうちの少なくとも１つに基づいて、前記第１情報の有効性情報を決定することに用いられることを特徴とする請求項５２又は５３に記載のネットワーク装置。
【請求項５５】
前記端末装置の情報は前記端末装置のモビリティ領域情報及び／又は端末装置のサービス能力情報を含むことを特徴とする請求項５４に記載のネットワーク装置。
【請求項５６】
前記端末装置のモビリティ領域情報は、前記端末装置の登録エリア情報、前記端末装置の追跡エリア情報、前記端末装置のページングエリア情報、設定されたセル又は基地局の集合のうちの少なくとも１つを含むことを特徴とする請求項５５に記載のネットワーク装置。
【請求項５７】
前記端末装置のモビリティ領域情報は前記端末装置の履歴移動領域情報に基づいて決定されたものであることを特徴とする請求項５５又は５６に記載のネットワーク装置。
【請求項５８】
前記端末装置のサービス情報は前記端末装置のサービス優先度情報及び／又は前記端末装置のネットワークスライス情報を含むことを特徴とする請求項５４〜５７のいずれか１項に記載のネットワーク装置。
【請求項５９】
前記端末装置のネットワークスライス情報は、前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含むことを特徴とする請求項５８に記載のネットワーク装置。
【請求項６０】
前記通信モジュールは更に、
前記第１ネットワーク装置に前記第１情報及び前記第１情報の有効性情報を送信することに用いられることを特徴とする請求項５２〜５９のいずれか１項に記載のネットワーク装置。
【請求項６１】
前記第１ネットワーク装置が第１アクセスネットワーク装置であり、前記ネットワーク装置がコアネットワーク装置又は第２アクセスネットワーク装置であり、又は、
前記第１ネットワーク装置が第１コアネットワーク装置であり、前記ネットワーク装置が第２コアネットワーク装置又はアクセスネットワーク装置であることを特徴とする請求項５２〜６０のいずれか１項に記載のネットワーク装置。
【請求項６２】
前記第１情報は、無線アクセス技術（ＲＡＴ）優先度情報、周波数優先度情報及びネットワークスライスの情報のうちの少なくとも１つを含むことを特徴とする請求項５２〜６１のいずれか１項に記載のネットワーク装置。
【請求項６３】
端末装置であって、
第１ネットワーク装置から送信された第１情報を受信することに用いられ、前記第１情報が無線アクセスパラメータである通信モジュールと、
前記第１情報の有効性情報に基づいて、前記第１情報を使用するかどうかを決定することに用いられ、前記第１情報の有効性情報は前記第１情報の適用条件を示すことに用いられる決定モジュールと、を備えることを特徴とする端末装置。
【請求項６４】
前記第１情報の有効性情報は前記第１情報の適用する時間情報及び／又は前記第１情報の適用する領域情報を含むことを特徴とする請求項６３に記載の端末装置。
【請求項６５】
前記決定モジュールは更に、
現在時間が前記第１情報の適用する時間範囲内にある場合、前記第１情報を使用することを決定すること、又は、
現在時間が前記第１情報の適用する時間範囲内にない場合、前記第１情報を使用しないことを決定することに用いられることを特徴とする請求項６３又は６４に記載の端末装置。
【請求項６６】
前記決定モジュールは更に、
前記端末装置の現在位置する領域が前記第１情報の適用する領域範囲内にある場合、前記第１情報を使用することを決定すること、又は、
前記端末装置の現在位置する領域が前記第１情報の適用する領域範囲内にない場合、前記第１情報を使用しないことを決定することに用いられることを特徴とする請求項６３〜６５のいずれか１項に記載の端末装置。
【請求項６７】
前記決定モジュールは更に、前記第１情報の有効性情報を決定することに用いられることを特徴とする請求項６３〜６６のいずれか１項に記載の端末装置。
【請求項６８】
前記通信モジュールは更に、前記第１ネットワーク装置が設定した前記第１情報の有効性情報を受信することに用いられることを特徴とする請求項６７に記載の端末装置。
【請求項６９】
前記決定モジュールは更に、
前記端末装置に前記第１情報の適用する領域情報が設定されていない場合、前記第１情報の適用する領域を特定領域又は任意領域として決定することに用いられることを特徴とする請求項６７又は６８に記載の端末装置。
【請求項７０】
前記特定領域は、前記端末装置が現在駐在するセル、前記端末装置のページング領域、前記端末装置の登録領域、前記端末装置の追跡領域、前記端末装置のサービス領域のうちの少なくとも１つを含むことを特徴とする請求項６９に記載の端末装置。
【請求項７１】
前記決定モジュールは更に、
前記端末装置に前記第１情報の適用する時間情報が設定されていない場合、前記第１情報の適用する時間を任意時間又は特定時間として決定し、又は前記第１情報の適用する時間長さを任意時間長さ又は特定時間長さとして決定することに用いられることを特徴とする請求項６７〜７０のいずれか１項に記載の端末装置。
【請求項７２】
前記特定時間は予め設定された時間又は通信システムが規定した時間であり、前記特定時間長さは予め設定された時間長さ又は通信システムが規定した時間長さであることを特徴とする請求項７１に記載の端末装置。
【請求項７３】
前記第１情報の有効性情報は、第２ネットワーク装置が前記端末装置の情報、前記端末装置のサービス情報、第３ネットワーク装置の提供する情報のうちの少なくとも１つに基づいて決定したものであることを特徴とする請求項６３〜７２のいずれか１項に記載の端末装置。
【請求項７４】
前記端末装置の情報は前記端末装置のモビリティ領域情報及び／又は端末装置のサービス能力情報を含むことを特徴とする請求項７３に記載の端末装置。
【請求項７５】
前記端末装置のモビリティ領域情報は、前記端末装置の登録エリア情報、前記端末装置の追跡エリア情報、前記端末装置のページングエリア情報、設定されたセル又は基地局の集合のうちの少なくとも１つを含むことを特徴とする請求項７４に記載の端末装置。
【請求項７６】
前記端末装置のモビリティ領域情報は前記端末装置の履歴移動領域情報に基づいて決定されたものであることを特徴とする請求項７４又は７５に記載の端末装置。
【請求項７７】
前記端末装置のサービス情報は前記端末装置のサービス優先度情報及び／又は前記端末装置のネットワークスライス情報を含むことを特徴とする請求項７３〜７６のいずれか１項に記載の端末装置。
【請求項７８】
前記端末装置のネットワークスライス情報は、前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含むことを特徴とする請求項７７に記載の端末装置。
【請求項７９】
前記第１ネットワーク装置が第１アクセスネットワーク装置であり、前記第２ネットワーク装置がコアネットワーク装置又は第２アクセスネットワーク装置であり、又は、
前記第１ネットワーク装置が第１コアネットワーク装置であり、前記第２ネットワーク装置が第２コアネットワーク装置又はアクセスネットワーク装置であることを特徴とする請求項７３〜７８のいずれか１項に記載の端末装置。
【請求項８０】
前記第１情報は、無線アクセス技術（ＲＡＴ）優先度情報、周波数優先度情報及びネットワークスライスの情報のうちの少なくとも１つを含むことを特徴とする請求項６３〜７９のいずれか１項に記載の端末装置。
【発明の詳細な説明】
【技術分野】
【０００１】
本願の実施例は通信分野に関し、より具体的に、通信方法、ネットワーク装置及び端末装置に関する。
【背景技術】
【０００２】
従来のシステムにおいて、コアネットワーク装置は無線アクセスパラメータ（例えば、無線アクセス技術（ＲＡＴ、Ｒａｄｉｏ  Ａｃｃｅｓｓ  Ｔｅｃｈｎｏｌｏｇｙ）優先度、周波数優先度等）をアクセスネットワーク装置に送信してもよく、アクセスネットワーク装置は無線アクセスパラメータを端末装置に設定してもよいが、該端末装置にとって、該無線アクセスパラメータは必ずしも適切であるとは限らないため、どのように端末装置の無線アクセスパラメータを設定するかは研究の価値がある問題である。
【発明の概要】
【発明が解決しようとする課題】
【０００３】
本願の実施例は端末装置に合理的な無線アクセスパラメータを設定することに役立つ通信方法、ネットワーク装置及び端末装置を提供する。
【課題を解決するための手段】
【０００４】
第１態様では通信方法を提供し、第１ネットワーク装置が第２ネットワーク装置から送信された第１情報と前記第１情報の有効性情報を受信し、前記第１情報が無線アクセスパラメータであり、前記第１情報の有効性情報は前記第１情報の適用条件を示すことに用いられることを含む。
【０００５】
従って、本願の実施例では、第１ネットワーク装置は端末装置に該第１情報を設定することができるだけでなく、端末装置に該第１情報の有効性情報を設定することもできる。これにより、端末装置は該第１情報の有効性情報に基づいて該第１情報を使用するかどうかを決定することができる。従って、端末装置は条件を満足する場合に該無線アクセスパラメータを使用することができ、端末装置の無線アクセス性能の向上に役立つ。
【０００６】
可能な実現方式では、前記第１情報の有効性情報は前記第１情報の適用する時間情報及び／又は前記第１情報の適用する領域情報を含む。
【０００７】
可能な実現方式では、前記第１情報の有効性情報は前記第２ネットワーク装置が前記端末装置の情報、前記端末装置のサービス情報、第３ネットワーク装置の提供する情報のうちの少なくとも１つに基づいて決定したものである。
【０００８】
可能な実現方式では、前記端末装置の情報は前記端末装置のモビリティ領域情報及び／又は端末装置のサービス能力情報を含む。
【０００９】
可能な実現方式では、前記端末装置のモビリティ領域情報は前記端末装置の登録エリア情報、前記端末装置の追跡エリア情報、前記端末装置のページングエリア情報、設定されたセル又は基地局の集合のうちの少なくとも１つを含む。
【００１０】
理解されるように、該端末装置のモビリティ領域情報は設定されたセル又は基地局の集合で示されてもよく、すなわち、該端末装置のために明示的に設定されたセル又は基地局のリストで該端末装置のモビリティ領域を示してもよい。例えば、該端末装置のモビリティ領域は該リストにおけるセル又は基地局にカバレッジされている領域の共通集合、又は該リストにおけるセル又は基地局にカバレッジされている領域の和集合であってもよい。
【００１１】
可能な実現方式では、前記端末装置のモビリティ領域情報は前記端末装置の履歴移動領域情報に基づいて決定されたものである。
【００１２】
例えば、該端末装置の履歴移動領域に対してビッグデータ処理を行って該端末装置のモビリティ領域情報を取得してもよい。
【００１３】
可能な実現方式では、前記端末装置のサービス情報は前記端末装置のサービス優先度情報及び／又は前記端末装置のネットワークスライス情報を含む。
【００１４】
選択肢として、前記端末装置のネットワークスライス情報は前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含む。
【００１５】
可能な実現方式では、前記方法は更に、前記第１ネットワーク装置が前記第１情報及び前記第１情報の有効性情報を端末装置に設定することを含む。
【００１６】
選択肢として、該第２ネットワーク装置は同じメッセージによって該第１ネットワーク装置に該第１情報及び該第１情報の有効性情報を送信してもよく、異なるメッセージによって該第１ネットワーク装置に該第１情報及び該第１情報の有効性情報を送信してもよく、本願の実施例は制限しない。
【００１７】
可能な実現方式では、前記第１ネットワーク装置が第１アクセスネットワーク装置であり、前記第２ネットワーク装置がコアネットワーク装置又は第２アクセスネットワーク装置であり、又は、前記第１ネットワーク装置が第１コアネットワーク装置であり、前記第２ネットワーク装置が第２コアネットワーク装置又はアクセスネットワーク装置である。
【００１８】
可能な実現方式では、前記第１情報は、無線アクセス技術（ＲＡＴ）優先度情報、周波数優先度情報及びネットワークスライスの情報のうちの少なくとも１つを含む。
【００１９】
第２態様では通信方法を提供し、
第２ネットワーク装置が第１情報の有効性情報を決定し、前記第１情報が無線アクセスパラメータであり、前記第１情報の有効性情報は前記第１情報の適用条件を示すことに用いられることと、
前記第２ネットワーク装置が第１ネットワーク装置に前記第１情報の有効性情報を送信することと、を含む。
【００２０】
可能な実現方式では、前記第１情報の有効性情報は前記第１情報の適用する時間情報及び／又は前記第１情報の適用する領域情報を含む。
【００２１】
可能な実現方式では、前記第２ネットワーク装置が第１情報の有効性情報を決定することは、前記第２ネットワーク装置が前記端末装置の情報、前記端末装置のサービス情報、第３ネットワーク装置の提供する情報のうちの少なくとも１つに基づいて、前記第１情報の有効性情報を決定することを含む。
【００２２】
可能な実現方式では、前記端末装置の情報は前記端末装置のモビリティ領域情報及び／又は端末装置のサービス能力情報を含む。
【００２３】
可能な実現方式では、前記端末装置のモビリティ領域情報は前記端末装置の登録エリア情報、前記端末装置の追跡エリア情報、前記端末装置のページングエリア情報、設定されたセル又は基地局の集合のうちの少なくとも１つを含む。
【００２４】
可能な実現方式では、前記端末装置のモビリティ領域情報は前記端末装置の履歴移動領域情報に基づいて決定されたものである。
【００２５】
可能な実現方式では、前記端末装置のサービス情報は前記端末装置のサービス優先度情報及び／又は前記端末装置のネットワークスライス情報を含む。
【００２６】
可能な実現方式では、前記端末装置のネットワークスライス情報は前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含む。
【００２７】
可能な実現方式では、前記第２ネットワーク装置が第１ネットワーク装置に前記第１情報の有効性情報を送信することは、前記第２ネットワーク装置が前記第１ネットワーク装置に前記第１情報及び前記第１情報の有効性情報を送信することを含む。
【００２８】
可能な実現方式では、前記第１ネットワーク装置が第１アクセスネットワーク装置であり、前記第２ネットワーク装置がコアネットワーク装置又は第２アクセスネットワーク装置であり、又は、前記第１ネットワーク装置が第１コアネットワーク装置であり、前記第２ネットワーク装置が第２コアネットワーク装置又はアクセスネットワーク装置である。
【００２９】
可能な実現方式では、前記第１情報は無線アクセス技術（ＲＡＴ）優先度情報、周波数優先度情報及びネットワークスライスの情報のうちの少なくとも１つを含む。
【００３０】
第３態様では通信方法を提供し、
端末装置が第１ネットワーク装置から送信された第１情報を受信し、前記第１情報が無線アクセスパラメータであることと、
前記端末装置が前記第１情報の有効性情報に基づいて、前記第１情報を使用するかどうかを決定し、前記第１情報の有効性情報は前記第１情報の適用条件を示すことに用いられることと、を含む。
【００３１】
可能な実現方式では、前記第１情報の有効性情報は前記第１情報の適用する時間情報及び／又は前記第１情報の適用する領域情報を含む。
【００３２】
可能な実現方式では、前記端末装置が前記第１情報の有効性情報に基づいて、前記第１情報を使用するかどうかを決定することは、
現在時間が前記第１情報の適用する時間範囲内にある場合、前記端末装置は前記第１情報を使用することを決定すること、又は、
現在時間が前記第１情報の適用する時間範囲内にない場合、前記端末装置は前記第１情報を使用しないことを決定することを含む。
【００３３】
可能な実現方式では、前記端末装置が前記第１情報の有効性情報に基づいて、前記第１情報を使用するかどうかを決定することは、
前記端末装置の現在位置する領域が前記第１情報の適用する領域範囲内にある場合、前記端末装置は前記第１情報を使用することを決定すること、又は、
前記端末装置の現在位置する領域が前記第１情報の適用する領域範囲内にない場合、前記端末装置は前記第１情報を使用しないことを決定することを含む。
【００３４】
可能な実現方式では、前記方法は更に、前記端末装置が前記第１情報の有効性情報を決定することを含む。
【００３５】
可能な実現方式では、前記端末装置が前記第１情報の有効性情報を決定することは、前記端末装置が前記第１ネットワーク装置の設定した前記第１情報の有効性情報を受信することを含む。
【００３６】
可能な実現方式では、前記端末装置が前記第１情報の有効性情報を決定することは、前記端末装置に前記第１情報の適用する領域情報が設定されていない場合、前記端末装置が前記第１情報の適用する領域を特定領域又は任意領域として決定することを含む。
【００３７】
可能な実現方式では、前記特定領域は前記端末装置が現在駐在するセル、前記端末装置のページング領域、前記端末装置の登録領域、前記端末装置の追跡領域、前記端末装置のサービス領域のうちの少なくとも１つを含む。
【００３８】
可能な実現方式では、前記端末装置が前記第１情報の有効性情報を決定することは、前記端末装置に前記第１情報の適用する時間情報が設定されていない場合、前記端末装置が前記第１情報の適用する時間を任意時間又は特定時間として決定し、又は前記第１情報の適用する時間長さを任意時間長さ又は特定時間長さとして決定することを含む。
【００３９】
可能な実現方式では、前記特定時間は予め設定された時間又は通信システムが規定した時間であり、前記特定時間長さは予め設定された時間長さ又は通信システムが規定した時間長さである。
【００４０】
可能な実現方式では、前記第１情報の有効性情報は第２ネットワーク装置が前記端末装置の情報、前記端末装置のサービス情報、第３ネットワーク装置の提供する情報のうちの少なくとも１つに基づいて決定したものである。
【００４１】
可能な実現方式では、前記端末装置の情報は前記端末装置のモビリティ領域情報及び／又は端末装置のサービス能力情報を含む。
【００４２】
可能な実現方式では、前記端末装置のモビリティ領域情報は前記端末装置の登録エリア情報、前記端末装置の追跡エリア情報、前記端末装置のページングエリア情報、設定されたセル又は基地局の集合のうちの少なくとも１つを含む。
【００４３】
可能な実現方式では、前記端末装置のモビリティ領域情報は前記端末装置の履歴移動領域情報に基づいて決定されたものである。
【００４４】
可能な実現方式では、前記端末装置のサービス情報は前記端末装置のサービス優先度情報及び／又は前記端末装置のネットワークスライス情報を含む。
【００４５】
可能な実現方式では、前記端末装置のネットワークスライス情報は前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含む。
【００４６】
可能な実現方式では、前記第１ネットワーク装置が第１アクセスネットワーク装置であり、前記第２ネットワーク装置がコアネットワーク装置又は第２アクセスネットワーク装置であり、又は、前記第１ネットワーク装置が第１コアネットワーク装置であり、前記第２ネットワーク装置が第２コアネットワーク装置又はアクセスネットワーク装置である。
【００４７】
可能な実現方式では、前記第１情報は無線アクセス技術（ＲＡＴ）優先度情報、周波数優先度情報及びネットワークスライスの情報のうちの少なくとも１つを含む。
【００４８】
第４態様ではネットワーク装置を提供し、上記第１態様又は第１態様のいずれか１つの可能な実現方式における方法を実行することに用いられ、又は上記第２態様又は第２態様のいずれか１つの可能な実現方式における方法を実行することに用いられる。具体的に、該ネットワーク装置は上記第１態様又は第１態様のいずれか１つの可能な実現方式における方法を実行するためのユニットを備え、又は該ネットワーク装置は上記第２態様又は第２態様のいずれか１つの可能な実現方式における方法を実行するためのユニットを備える。
【００４９】
第５態様ではネットワーク装置を提供し、メモリ、プロセッサ、入力インターフェース及び出力インターフェースを備える。メモリ、プロセッサ、入力インターフェース及び出力インターフェースはバスシステムにより接続される。該メモリは命令を記憶することに用いられ、該プロセッサは該メモリに記憶される命令を実行することに用いられ、上記第１態様又は第１態様のいずれか１つの可能な実現方式における方法を実行することに用いられ、又は上記第２態様又は第２態様のいずれか１つの可能な実現方式における方法を実行することに用いられる。
【００５０】
第６態様では端末装置を提供し、上記第３態様又は第３態様のいずれか１つの可能な実現方式における方法を実行することに用いられる。具体的に、該端末装置は上記第３態様又は第３態様のいずれか１つの可能な実現方式における方法を実行するためのユニットを備える。
【００５１】
第７態様では端末装置を提供し、メモリ、プロセッサ、入力インターフェース及び出力インターフェースを備える。メモリ、プロセッサ、入力インターフェース及び出力インターフェースはバスシステムにより接続される。該メモリは命令を記憶することに用いられ、該プロセッサは該メモリに記憶される命令を実行することに用いられ、上記第３態様又は第３態様のいずれか１つの可能な実現方式における方法を実行することに用いられる。
【００５２】
第８態様ではコンピュータ記憶媒体を提供し、上記第１〜第３態様又は第１〜第３態様のいずれか１つの可能な実現方式における方法を実行するために用いた、上記態様を実行するために設計したプログラムを含むコンピュータソフトウェア命令を記憶することに用いられる。
【００５３】
第９態様では命令を含むコンピュータプログラム製品を提供し、コンピュータにおいて実行されるとき、コンピュータが第１〜第３態様又は第１〜第３態様のいずれか１つの可能な実現方式における方法を実行するようにする。
【図面の簡単な説明】
【００５４】
【図１】図１は本願の実施例の適用する通信システムの一例の模式図である。
【図２】図２は本願の実施例に係る通信方法の模式的なフローチャートである。
【図３】図３は本願の他の実施例に係る通信方法の模式的なフローチャートである。
【図４】図４は本願の更なる実施例に係る通信方法の模式的なフローチャートである。
【図５】図５は本願の実施例に係るネットワーク装置の模式的なブロック図である。
【図６】図６は本願の実施例に係るネットワーク装置の模式的なブロック図である。
【図７】図７は本願の実施例に係る端末装置の模式的なブロック図である。
【図８】図８は本願の他の実施例に係るネットワーク装置の模式的なブロック図である。
【図９】図９は本願の他の実施例に係るネットワーク装置の模式的なブロック図である。
【図１０】図１０は本願の他の実施例に係る端末装置の模式的なブロック図である。
【発明を実施するための形態】
【００５５】
以下、図面を参照しながら、本願の実施例の技術案を説明する。
【００５６】
理解されるように、本明細書における用語「システム」と「ネットワーク」は本明細書において常に交換可能に使用される。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」の関係であることを示す。
【００５７】
本願の実施例の技術案は様々な通信システム、例えば、モバイル通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、マイクロ波利用アクセスに関する世界的な相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム、又は新無線（ＮＲ、Ｎｅｗ  Ｒａｄｉｏ）システム等に適用されてもよい。
【００５８】
図１には本発明の実施例に適用される無線通信システム１００を示す。該無線通信システム１００は少なくとも１つのネットワーク装置、例えば図１に示される第１ネットワーク装置１１０及び第２ネットワーク装置１２０を備えてもよい。第１ネットワーク装置１１０と第２ネットワーク装置１２０はいずれも無線エアインターフェースを介して端末装置１３０と通信することができる。第１ネットワーク装置１１０又は第２ネットワーク装置１２０は特定の地理的領域に通信カバレッジを提供することができ、且つ該カバレッジ領域内での端末装置と通信することができる。該第１ネットワーク装置１１０又は第２ネットワーク装置１２０はＧＳＭシステム又はＣＤＭＡシステムにおける基地局（Ｂａｓｅ  Ｔｒａｎｓｃｅｉｖｅｒ  Ｓｔａｔｉｏｎ、「ＢＴＳ」と略称）であってもよく、ＷＣＤＭＡシステムにおける基地局（ＮｏｄｅＢ）であってもよく、ＬＴＥシステムにおける発展型基地局（Ｅｖｏｌｕｔｉｏｎａｌ  Ｎｏｄｅ  Ｂ、「ｅＮＢ」又は「ｅＮｏｄｅＢ」と略称）、又は将来の５Ｇネットワークにおけるネットワーク装置、例えば送受信ポイント（Ｔｒａｎｓｍｉｓｓｉｏｎ  Ｒｅｃｅｐｔｉｏｎ  Ｐｏｉｎｔ、「ＴＲＰ」と略称）、基地局、小型基地局装置等であってもよく、本発明の実施例は特に制限しない。
【００５９】
選択肢として、該第１ネットワーク装置１１０又は該第２ネットワーク装置１２０は更に通信システム１００におけるコアネットワーク装置、例えばＬＴＥシステムにおけるモビリティ管理エンティティ（ＭＭＥ、Ｍｏｂｉｌｉｔｙ  Ｍａｎａｇｅｍｅｎｔ  Ｅｎｔｉｔｙ）又はサービスゲートウェイ（ＳＧＷ、Ｓｅｒｖｉｃｅ  Ｇａｔｅｗａｙ）等であってもよく、又は５Ｇシステムにおけるアクセス管理機能（ＡＭＦ、Ａｃｃｅｓｓ  Ｍａｎａｇｅｍｅｎｔ  Ｆｕｎｃｔｉｏｎ）、パケットデータネットワークゲートウェイ（ＰＧＷ、Ｐａｃｋｅｔ  Ｄａｔａ  Ｎｅｔｗｏｒｋ  Ｇａｔｅｗａｙ）、ユーザープレーン機能（ＵＰＦ、Ｕｓｅｒ  Ｐｌａｎｅ  Ｆｕｎｃｔｉｏｎ）、制御プレーン機能（ＣＰＦ、Ｃｏｎｔｒｏｌ  Ｐｌａｎｅ  Ｆｕｎｃｔｉｏｎ）等であってもよく、本願の実施例は制限しない。
【００６０】
該無線通信システム１００は更に１つ又は複数の端末装置（Ｕｓｅｒ  Ｅｑｕｉｐｍｅｎｔ、「ＵＥ」と略称）１３０を備える。該端末装置１３０は可動又は固定であってもよい。端末装置１３０は無線アクセスネットワーク（Ｒａｄｉｏ  Ａｃｃｅｓｓ  Ｎｅｔｗｏｒｋ、「ＲＡＮ」と略称）経由で１つ又は複数のコアネットワーク（Ｃｏｒｅ  Ｎｅｔｗｏｒｋ）と通信することができる。端末装置はアクセス端末、端末デバイス、ユーザー要素、加入者局、移動局、トラバーサー、遠隔局、遠隔端末、モバイルデバイス、ユーザー端末、端末、無線通信装置、ユーザーエージェント又はユーザーデバイスと称されてもよい。端末装置はセルラー電話、コードレスホン、セッション確立プロトコル（Ｓｅｓｓｉｏｎ  Ｉｎｉｔｉａｔｉｏｎ  Ｐｒｏｔｏｃｏｌ、「ＳＩＰ」と略称）電話、ワイヤレスローカルループ（Ｗｉｒｅｌｅｓｓ  Ｌｏｃａｌ  Ｌｏｏｐ、「ＷＬＬ」と略称）局、パーソナルデジタルアシスタント（Ｐｅｒｓｏｎａｌ  Ｄｉｇｉｔａｌ  Ａｓｓｉｓｔａｎｔ、「ＰＤＡ」と略称）、無線通信機能を有する携帯端末、コンピューティングデバイス又は無線モデムに接続される他の処理装置、車載装置、ウェアラブル端末及び将来の５Ｇネットワークにおける端末装置等であってもよい。
【００６１】
以下、図２〜図４を参照しながら本願の実施例の通信方法を説明し、理解されるように、図２〜図４は本願の実施例の通信方法の模式的なフローチャートであり、該方法の詳細な通信ステップ又は操作を示すが、これらのステップ又は操作は例示的なものに過ぎず、本願の実施例は更に他の操作又は図２〜図４における種々の操作の変形を実行してもよい。
【００６２】
図２は本願の一実施例に係る通信方法の模式的なフローチャートであり、図２に示すように、該方法２００は、
第１ネットワーク装置が第２ネットワーク装置から送信された第１情報と前記第１情報の有効性情報を受信し、前記第１情報が無線アクセスパラメータであり、前記第１情報の有効性情報が前記第１情報の適用条件を示すことに用いられるＳ２１０を含む。
【００６３】
選択肢として、前記第１ネットワーク装置が第１アクセスネットワーク装置であり、前記第２ネットワーク装置がコアネットワーク装置又は第２アクセスネットワーク装置であり、又は、前記第１ネットワーク装置が第１コアネットワーク装置であり、前記第２ネットワーク装置が第２コアネットワーク装置又はアクセスネットワーク装置である。
【００６４】
すなわち、該第１ネットワーク装置及び該第２ネットワーク装置は、一方がコアネットワーク装置であり、他方がアクセスネットワーク装置であってもよく、又は、該第１ネットワーク装置及び該第２ネットワーク装置は、異なるアクセスネットワーク装置、又は異なるコアネットワーク装置であってもよい。
【００６５】
例えば、該第１ネットワーク装置がＬＴＥシステムにおけるアクセスネットワーク装置である場合、該第２ネットワーク装置はＬＴＥシステムにおけるコアネットワーク装置又はＮＲシステムにおけるアクセスネットワーク装置であってもよい。又は、該第１ネットワーク装置がＬＴＥシステムにおけるコアネットワーク装置である場合、該第２ネットワーク装置はＬＴＥシステムにおけるアクセスネットワーク装置又はＮＲシステムにおけるコアネットワーク装置であってもよい。
【００６６】
本願の実施例では、該第２ネットワーク装置は第１情報を決定することができるだけでなく、該第１情報の有効性情報、即ち該第１情報の適用条件（又は適用状況、適用シーン等）を決定することもできる。これにより、該第２ネットワーク装置は該第１ネットワーク装置に該第１情報を送信することができるだけでなく、該第１ネットワーク装置に該第１情報の有効性情報を送信することもできる。更に、端末装置が該第１情報の有効性情報に基づいて該第１情報を使用するよう、該第１ネットワーク装置は端末装置に該第１情報及び該第１情報の有効性情報を設定することができる。それにより該端末装置は条件を満足する場合に該無線アクセスパラメータを使用することができ、端末装置の無線アクセス性能の向上に役立つ。
【００６７】
選択肢として、いくつかの実施例では、前記第１情報は無線アクセス技術（ＲＡＴ）優先度情報、周波数優先度情報及びネットワークスライスの情報のうちの少なくとも１つを含む。
【００６８】
選択肢として、該ＲＡＴは４Ｇ、３Ｇ、又は５Ｇ等であってもよく、本願の実施例は制限しない。
【００６９】
選択肢として、該ＲＡＴ優先度は異なるＲＡＴの優先度順序を示すことに用いられてもよく、該周波数優先度は異なる周波数点の間の優先度順序を示すことに用いられる。
【００７０】
選択肢として、該ネットワークスライスの情報は該端末装置が契約したネットワークスライスの情報、ネットワークが設定したネットワークスライスの情報、該端末装置がアクセスを許容するネットワークスライスの情報、又は該端末装置がアクセスを要求するネットワークスライスの情報等であってもよい。
【００７１】
理解されるように、以上の第１情報に含まれる内容は例示的なものであって制限的なものではなく、前記第１情報は更に他の無線アクセスのためのパラメータ又はセル選択又はセル再選択のためのパラメータを含んでもよく、本願の実施例は制限しない。
【００７２】
選択肢として、いくつかの実施例では、前記第１情報の有効性情報は前記第１情報の適用する時間情報及び／又は前記第１情報の適用する領域情報を含む。
【００７３】
例えば、該第１情報が特定時間又は特定領域のみに適用され、すなわち該第１情報が特定時間及び／又は特定領域において有効であり、即ち該特定時間が該第１情報の有効時間であって、該特定領域が該第１情報の有効領域である場合、該第１情報の有効性情報は該特定時間及び／又は特定領域であってもよく、これにより、端末装置は現在時間及び／又は現在位置する領域に基づいて、該第１情報の適用条件を満足するかどうかを決定して、該第１情報を使用するかどうかを決定することができる。
【００７４】
例えば、現在時間が該第１情報の有効時間内にない場合、該端末装置は該第１情報を使用しないことを決定することができ、又は、現在時間が該第１情報の有効時間内にある場合、該端末装置は該第１情報を使用することを決定することができる。
【００７５】
又は、該端末装置の現在位置する領域が該第１情報の有効領域内にない場合、該端末装置は該第１情報を使用しないことを決定することができ、又は、該端末装置の現在位置する領域が該第１情報の有効領域内にある場合、該端末装置は該第１情報等を使用することを決定することができる。
【００７６】
選択肢として、本願の実施例では、前記第１情報は１組又は複数組であってもよく、各組の第１情報は対応の有効性情報に対応してもよく、即ち各組の第１情報は対応の適用条件に対応してもよい。これにより、端末装置は現在条件に基づいて、どの組の第１情報を使用するかを決定することができる。例えば、該端末装置は現在時間及び／又は現在位置する領域に基づいて、どの組の第１情報の適用条件を満足するかを決定することができ、それによりどの組の該第１情報を使用するかを決定することができる。
【００７７】
選択肢として、いくつかの実施例では、前記第１情報の有効性情報は前記第２ネットワーク装置が前記端末装置の情報、前記端末装置のサービス情報、第３ネットワーク装置の提供する情報のうちの少なくとも１つに基づいて決定したものであってもよい。
【００７８】
選択肢として、いくつかの実施例では、該端末装置の情報は前記端末装置のモビリティ領域情報及び／又は端末装置のサービス能力情報を含んでもよい。
【００７９】
選択肢として、該端末装置の情報は更に該端末装置の他の属性情報を含んでもよく、本願の実施例は制限しない。
【００８０】
選択肢として、該端末装置のサービス能力情報は該端末装置がサポートするサービス情報を含んでもよく、該端末装置がサポートするサービスは対応の領域に対応してもよく、それにより該第２ネットワーク装置は該端末装置がサポートするサービスに対応する領域に基づいて、該第１情報に対応する領域情報を決定することができる。例えば、該第２ネットワーク装置は該端末装置がサポートするサービスに対応する領域を該第１情報に対応する領域として決定してもよい。
【００８１】
例えば、該端末装置はビデオサービスをサポートし、該ビデオサービスに対応する有効領域は第１領域（例えば、会社又は家の位置する領域）であり、即ち該端末装置は第１領域において該ビデオサービスをサポートし、他の領域において該ビデオサービスをサポートせず、それにより該第２ネットワーク装置は該ビデオサービスに対応する第１領域を第１情報の適用する有効領域として決定してもよい。
【００８２】
選択肢として、いくつかの実施例では、前記端末装置のモビリティ領域情報は前記端末装置の登録エリア情報、前記端末装置の追跡エリア情報、前記端末装置のページングエリア情報、設定されたセル又は基地局の集合のうちの少なくとも１つを含む。
【００８３】
すなわち、該端末装置のモビリティ領域情報は該端末装置の登録エリア、追跡エリア及びページングエリアのうちの少なくとも１つであってもよく、又は該端末装置のモビリティ領域情報は設定されたセル又は基地局の集合で示されてもよい。ここで、設定されたセル又は基地局は具体的に該端末装置のために明示的に設定されたセル又は基地局のリストであってもよい。そうすると、該セル又は基地局の集合におけるセル又は基地局にカバレッジされている領域は該端末装置のモビリティ領域を決定することに用いられてもよい。例えば、該第２ネットワーク装置は該集合におけるセル又は基地局にカバレッジされている領域の共通集合を該端末装置のモビリティ領域として決定してもよく、又は該集合におけるセル又は基地局にカバレッジされている領域の和集合を該端末装置のモビリティ領域等として決定してもよい。
【００８４】
選択肢として、本願の実施例では、該端末装置のモビリティ領域情報は該端末装置の履歴移動領域情報に基づいて決定されたものであってもよく、例えば、該端末装置の履歴移動領域に対してビッグデータ処理を行って該端末装置のモビリティ領域情報を取得してもよい。
【００８５】
選択肢として、いくつかの実施例では、該端末装置のサービス情報は該端末装置のサービス優先度情報及び／又は前記端末装置のネットワークスライス情報を含んでもよい。
【００８６】
選択肢として、該第２ネットワーク装置は契約した高優先度サービスに対応する領域情報及び／又は時間情報に基づいて、該第１情報に対応する有効領域情報及び／又は有効時間情報を決定してもよい。該高優先度サービスに対応する領域は該高優先度サービスの有効領域であり、該高優先度サービスに対応する時間は該高優先度サービスの有効時間である。具体的な実現方式では、該第２ネットワーク装置は高優先度サービスに対応する領域を該第１情報に対応する有効領域として決定してもよい。
【００８７】
選択肢として、該端末装置のネットワークスライス情報は該端末装置が契約したネットワークスライスの情報、ネットワークが該端末装置に設定したネットワークスライスの情報、該端末装置がアクセスを許容するネットワークスライスの情報、又は該端末装置がアクセスを要求するネットワークスライスの情報等であってもよく、本願の実施例は制限しない。
【００８８】
選択肢として、該第２ネットワーク装置はネットワークスライスに対応する領域情報及び／又は時間情報に基づいて、該第１情報に対応する有効領域情報及び／又は有効時間情報を決定してもよい。ネットワークスライスに対応する領域は該ネットワークスライスの有効領域であり、即ち該有効領域において該ネットワークスライスは端末装置にサービスを提供することができる。該ネットワークスライスに対応する時間は該ネットワークスライスの有効時間であり、即ち該有効時間において該ネットワークスライスは該端末装置にサービスを提供することができる。可能な実現方式では、該第２ネットワーク装置は該端末装置が契約したネットワークスライスに対応する領域を該第１情報に対応する有効領域として決定してもよい。
【００８９】
選択肢として、いくつかの実施例では、該第３ネットワーク装置が提供する情報は該第３ネットワーク装置が提供する無線アクセスのためのポリシー又はルールであってもよい。例えば、該第３ネットワーク装置が提供する情報は第１周波数点に優先的にアクセスされるセル、又は第１ＲＡＴに優先的にアクセスされるセル等を示してもよい。
【００９０】
選択肢として、該第３ネットワーク装置は集中制御機能（ＰＣＦ、Ｐｏｉｎｔ  Ｃｏｏｒｄｉｎａｔｉｏｎ  Ｆｕｎｃｔｉｏｎ）又はアクセスネットワーク装置であってもよく、他のコアネットワーク装置等であってもよい。本願の実施例は制限しない。
【００９１】
本願の実施例では、該第２ネットワーク装置は該第１情報の有効性情報を決定した後、該第１ネットワーク装置に第１情報を送信することができるだけでなく、該第１ネットワーク装置に該第１情報の有効性情報を送信することもできる。選択肢として、該第２ネットワーク装置は同じメッセージによって該第１ネットワーク装置に該第１情報及び該第１情報の有効性情報を送信してもよく、異なるメッセージによって該第１ネットワーク装置に該第１情報及び該第１情報の有効性情報を送信してもよく、本願の実施例は制限しない。
【００９２】
Ｓ２１０の後に、更に、該第１ネットワーク装置は該第１情報及び該第１情報の有効性情報を端末装置に設定することができ、それにより該端末装置は該第１情報の有効性情報に基づいて該第１情報を使用するかどうかを決定することができる。
【００９３】
例えば、該端末装置の現在位置する領域は該第１情報に対応する有効領域内にない場合、該端末装置は該第１情報が失効したことを決定することができ、それにより該第１情報を使用しない。又は、該端末装置の現在位置する領域は該第１情報に対応する有効領域内にある場合、該端末装置は該第１情報が有効であることを決定することができ、それにより該第１情報を使用してもよい。
【００９４】
更に、例えば、現在時間は該第１情報に対応する有効時間範囲内になく、即ち該第１情報の有効時間がタイムアウトした場合、該端末装置は該第１情報が失効したことを決定することができ、それにより該第１情報を使用しなくてもよい。又は、現在時間は該第１情報に対応する有効時間範囲内にあり、即ち該第１情報の有効時間がタイムアウトしない場合、該端末装置は該第１情報が有効であることを決定することができ、それにより該第１情報を使用してもよい。
【００９５】
選択肢として、いくつかの実施例では、前記第１情報の有効性情報は該第１情報に対応する領域情報を含まず、すなわち、該第１情報の有効領域情報が設定されていない場合、該端末装置は該第１情報に対応する領域情報が任意領域又は特定領域であることを決定することができ、即ち該第１情報の有効領域は任意領域又は特定領域であってもよく、それにより該端末装置は任意領域又は特定領域において該第１情報を使用してもよい。
【００９６】
選択肢として、該特定領域は予め設定されたもの、通信システムが規定したもの、又はネットワーク装置が設定したもの等であってもよく、本願の実施例は制限しない。
【００９７】
選択肢として、いくつかの実施例では、前記特定領域は、前記端末装置が現在駐在するセル、前記端末装置のページング領域、前記端末装置の登録領域、前記端末装置の追跡領域、前記端末装置のサービス領域のうちの少なくとも１つを含む。
【００９８】
選択肢として、該端末装置のサービス領域は該端末装置がサービスを開始した領域、又は該端末装置がサービス伝送を行う領域であると理解されてもよい。
【００９９】
選択肢として、いくつかの実施例では、前記第１情報の有効性情報は該第１情報に対応する時間情報を含まず、即ち該第１情報の有効時間情報が設定されていない場合、該端末装置は該第１情報に対応する時間情報が任意時間又は特定時間であることを決定することができ、即ち該第１情報の有効時間は任意時間又は特定時間であってもよく、それにより該端末装置は任意時間又は特定時間において該第１情報を使用してもよい。
【０１００】
選択肢として、該特定時間は予め設定されたもの、通信システムが規定したもの、又はネットワーク装置が設定したもの等であってもよく、本願の実施例は制限しない。
【０１０１】
例えば、該特定時間は午前９：００〜夜７：００であってもよく、それにより端末装置は該午前９：００〜夜７：００において該第１情報を使用し、他の時間において該第１情報を使用しないことを決定することができる。
【０１０２】
従って、本願の実施例では、第１ネットワーク装置は端末装置に該第１情報を設定することができるだけでなく、端末装置に該第１情報の有効性情報を設定することもでき、それにより端末装置は該第１情報の有効性情報に基づいて、該第１情報を使用するかどうかを決定することができる。従って、端末装置は条件を満足する場合に該無線アクセスパラメータを使用することができ、端末装置の無線アクセス性能の向上に役立つ。
【０１０３】
以上は図２を参照しながら第１ネットワーク装置の観点から本願の実施例に係る通信方法を詳しく説明したが、以下に図３を参照しながら第２ネットワーク装置の観点から本願の他の実施例に係る通信方法を詳しく説明する。理解されるように、第２ネットワーク装置側の説明は第１ネットワーク装置側の説明に対応し、類似の説明については以上の説明を参照してもよく、重複を避けるために、ここで詳細な説明は省略する。
【０１０４】
図３は本願の他の実施例に係る通信方法の模式的なフローチャートであり、図３に示すように、該方法３００は、
第２ネットワーク装置が第１情報の有効性情報を決定し、前記第１情報が無線アクセスパラメータであり、前記第１情報の有効性情報は前記第１情報の適用条件を示すことに用いられるＳ３１０と、
前記第２ネットワーク装置が第１ネットワーク装置に前記第１情報の有効性情報を送信するＳ３２０と、を含む。
【０１０５】
従って、本願の実施例では、第２ネットワーク装置は第１情報を決定することができるだけでなく、該第１情報の有効性情報を決定することもでき、それにより第１ネットワーク装置に該第１情報の有効性情報を送信することができる。更に、該端末装置が該第１情報の有効性情報に基づいて該第１情報を使用するかどうかを決定するよう、該第１ネットワーク装置は該第１情報の有効性情報を端末装置に設定することができる。従って、端末装置は条件を満足する場合に該無線アクセスパラメータを使用することができ、端末装置の無線アクセス性能の向上に役立つ。
【０１０６】
選択肢として、いくつかの実施例では、前記第１情報の有効性情報は前記第１情報の適用する時間情報及び／又は前記第１情報の適用する領域情報を含む。
【０１０７】
選択肢として、いくつかの実施例では、Ｓ３１０は、
前記第２ネットワーク装置が前記端末装置の情報、前記端末装置のサービス情報、第３ネットワーク装置の提供する情報のうちの少なくとも１つに基づいて、前記第１情報の有効性情報を決定することを含んでもよい。
【０１０８】
選択肢として、いくつかの実施例では、前記端末装置の情報は前記端末装置のモビリティ領域情報及び／又は端末装置のサービス能力情報を含む。
【０１０９】
選択肢として、いくつかの実施例では、前記端末装置のモビリティ領域情報は前記端末装置の登録エリア情報、前記端末装置の追跡エリア情報、前記端末装置のページングエリア情報、設定されたセル又は基地局の集合のうちの少なくとも１つを含む。
【０１１０】
選択肢として、いくつかの実施例では、前記端末装置のモビリティ領域情報は前記端末装置の履歴移動領域情報に基づいて決定されたものであってもよい。
【０１１１】
選択肢として、いくつかの実施例では、前記端末装置のサービス情報は前記端末装置のサービス優先度情報及び／又は前記端末装置のネットワークスライス情報を含む。
【０１１２】
選択肢として、いくつかの実施例では、前記端末装置のネットワークスライス情報は前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含む。
【０１１３】
選択肢として、いくつかの実施例では、前記第２ネットワーク装置が第１ネットワーク装置に前記第１情報の有効性情報を送信することは、
前記第２ネットワーク装置が前記第１ネットワーク装置に前記第１情報及び前記第１情報の有効性情報を送信することを含む。
【０１１４】
選択肢として、該第２ネットワーク装置は同じメッセージによって該第１ネットワーク装置に該第１情報及び該第１情報の有効性情報を送信してもよく、異なるメッセージによって該第１ネットワーク装置に該第１情報及び該第１情報の有効性情報を送信してもよく、本願の実施例は制限しない。
【０１１５】
選択肢として、いくつかの実施例では、前記第１ネットワーク装置が第１アクセスネットワーク装置であり、前記第２ネットワーク装置がコアネットワーク装置又は第２アクセスネットワーク装置であり、又は、
前記第１ネットワーク装置が第１コアネットワーク装置であり、前記第２ネットワーク装置が第２コアネットワーク装置又はアクセスネットワーク装置である。
【０１１６】
選択肢として、いくつかの実施例では、前記第１情報は、無線アクセス技術（ＲＡＴ）優先度情報、周波数優先度情報及びネットワークスライスの情報のうちの少なくとも１つを含む。
【０１１７】
以上は図２及び図３を参照しながら第１ネットワーク装置及び第２ネットワーク装置の観点から本願の実施例に係る通信方法を詳しく説明したが、以下に図４を参照しながら端末装置の観点から本願の更なる実施例に係る通信方法を詳しく説明する。理解されるように、端末装置側の説明はネットワーク装置側の説明に対応し、類似の説明については以上の説明を参照してもよく、重複を避けるために、ここで詳細な説明は省略する。
【０１１８】
図４は本願の更なる実施例に係る通信方法４００の模式的なフローチャートであり、該方法４００は図１に示される通信システムにおける端末装置により実行されてもよく、図４に示すように、該方法４００は、
端末装置が第１ネットワーク装置から送信された第１情報を受信し、前記第１情報が無線アクセスパラメータであるＳ４１０と、
前記端末装置が前記第１情報の有効性情報に基づいて、前記第１情報を使用するかどうかを決定し、前記第１情報の有効性情報は前記第１情報の適用条件を示すことに用いられるＳ４２０と、を含む。
【０１１９】
選択肢として、いくつかの実施例では、前記第１情報の有効性情報は前記第１情報の適用する時間情報及び／又は前記第１情報の適用する領域情報を含む。
【０１２０】
選択肢として、該第１情報の有効性情報は第１ネットワーク装置が設定したものであってもよく、該端末装置が決定したものであってもよく、本願の実施例は制限しない。例えば、該第１情報の有効領域情報が設定されていない場合、該端末装置は該第１情報の有効領域が任意領域又は特定領域であることを決定することができ、又は、該第１情報の有効時間情報が設定されていない場合、該端末装置は該第１情報の有効時間が任意時間又は特定時間であることを決定することができる。
【０１２１】
選択肢として、いくつかの実施例では、前記端末装置が前記第１情報の有効性情報に基づいて、前記第１情報を使用するかどうかを決定することは、
現在時間が前記第１情報の適用する時間範囲内にある場合、前記端末装置は前記第１情報を使用することを決定すること、又は、
現在時間が前記第１情報の適用する時間範囲内にない場合、前記端末装置は前記第１情報を使用しないことを決定することを含む。
【０１２２】
選択肢として、いくつかの実施例では、前記端末装置が前記第１情報の有効性情報に基づいて、前記第１情報を使用するかどうかを決定することは、
前記端末装置の現在位置する領域が前記第１情報の適用する領域範囲内にある場合、前記端末装置は前記第１情報を使用することを決定すること、又は、
前記端末装置の現在位置する領域が前記第１情報の適用する領域範囲内にない場合、前記端末装置は前記第１情報を使用しないことを決定することを含む。
【０１２３】
選択肢として、いくつかの実施例では、前記方法４００は更に、前記端末装置が前記第１情報の有効性情報を決定することを含む。
【０１２４】
例えば、第１ネットワーク装置が端末装置に該第１情報の有効性情報を設定した場合、該端末装置は該第１ネットワーク装置が設定した該第１情報の有効性情報を該第１情報の有効性情報として決定してもよい。又は、該第１ネットワーク装置が該端末装置に該第１情報の有効性情報を設定しない場合、該端末装置は自主的に該第１情報の有効性情報を決定してもよい。例えば、該第１情報の有効領域情報が設定されていない場合、該端末装置は該第１情報の有効領域が任意領域又は特定領域であることを決定することができ、又は、該第１情報の有効時間情報が設定されていない場合、該端末装置は該第１情報の有効時間が任意時間又は特定時間であることを決定することができる。
【０１２５】
選択肢として、いくつかの実施例では、前記端末装置が前記第１情報の有効性情報を決定することは、前記端末装置に前記第１情報の適用する領域情報が設定されていない場合、前記端末装置が前記第１情報の適用する領域を特定領域又は任意領域として決定することを含む。
【０１２６】
選択肢として、いくつかの実施例では、前記特定領域は、前記端末装置が現在駐在するセル、前記端末装置のページング領域、前記端末装置の登録領域、前記端末装置の追跡領域、前記端末装置のサービス領域のうちの少なくとも１つを含む。
【０１２７】
選択肢として、いくつかの実施例では、前記端末装置が前記第１情報の有効性情報を決定することは、前記端末装置に前記第１情報の適用する時間情報が設定されていない場合、前記端末装置が前記第１情報の適用する時間を任意時間又は特定時間として決定し、又は前記第１情報の適用する時間長さを任意時間長さ又は特定時間長さとして決定することを含む。
【０１２８】
選択肢として、いくつかの実施例では、前記特定時間は予め設定された時間又は通信システムが規定した時間であり、前記特定時間長さは予め設定された時間長さ又は通信システムが規定した時間長さである。
【０１２９】
選択肢として、いくつかの実施例では、前記第１情報の有効性情報は第２ネットワーク装置が前記端末装置の情報、前記端末装置のサービス情報、第３ネットワーク装置の提供する情報のうちの少なくとも１つに基づいて決定したものである。
【０１３０】
選択肢として、いくつかの実施例では、前記端末装置の情報は前記端末装置のモビリティ領域情報及び／又は端末装置のサービス能力情報を含む。
【０１３１】
選択肢として、いくつかの実施例では、前記端末装置のモビリティ領域情報は前記端末装置の登録エリア情報、前記端末装置の追跡エリア情報、前記端末装置のページングエリア情報、設定されたセル又は基地局の集合のうちの少なくとも１つを含む。
【０１３２】
選択肢として、いくつかの実施例では、前記端末装置のモビリティ領域情報は前記端末装置の履歴移動領域情報に基づいて決定されたものである。
【０１３３】
選択肢として、いくつかの実施例では、前記端末装置のサービス情報は前記端末装置のサービス優先度情報及び／又は前記端末装置のネットワークスライス情報を含む。
【０１３４】
選択肢として、いくつかの実施例では、前記端末装置のネットワークスライス情報は前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含む。
【０１３５】
選択肢として、いくつかの実施例では、前記第１ネットワーク装置が第１アクセスネットワーク装置であり、前記第２ネットワーク装置がコアネットワーク装置又は第２アクセスネットワーク装置であり、又は、前記第１ネットワーク装置が第１コアネットワーク装置であり、前記第２ネットワーク装置が第２コアネットワーク装置又はアクセスネットワーク装置である。
【０１３６】
選択肢として、いくつかの実施例では、前記第１情報は、無線アクセス技術（ＲＡＴ）優先度情報、周波数優先度情報及びネットワークスライスの情報のうちの少なくとも１つを含む。
【０１３７】
以上は図２〜図４を参照しながら本願の方法実施例を詳しく説明したが、以下に図５〜図１０を参照しながら本願の装置実施例を詳しく説明する。理解されるように、装置実施例は方法実施例に対応し、類似の説明については方法実施例を参照してもよい。
【０１３８】
図５は本願の実施例に係るネットワーク装置５００の模式的なブロック図を示す。図５に示すように、該ネットワーク装置５００は、
第２ネットワーク装置から送信された第１情報と前記第１情報の有効性情報を受信することに用いられ、前記第１情報が無線アクセスパラメータであり、前記第１情報の有効性情報は前記第１情報の適用条件を示すことに用いられる通信モジュール５１０を備える。
【０１３９】
選択肢として、いくつかの実施例では、前記第１情報の有効性情報は前記第１情報の適用する時間情報及び／又は前記第１情報の適用する領域情報を含む。
【０１４０】
選択肢として、いくつかの実施例では、前記第１情報の有効性情報は前記第２ネットワーク装置が前記端末装置の情報、前記端末装置のサービス情報、第３ネットワーク装置の提供する情報のうちの少なくとも１つに基づいて決定したものである。
【０１４１】
選択肢として、いくつかの実施例では、前記端末装置の情報は前記端末装置のモビリティ領域情報及び／又は端末装置のサービス能力情報を含む。
【０１４２】
選択肢として、いくつかの実施例では、前記端末装置のモビリティ領域情報は前記端末装置の登録エリア情報、前記端末装置の追跡エリア情報、前記端末装置のページングエリア情報、設定されたセル又は基地局の集合のうちの少なくとも１つを含む。
【０１４３】
選択肢として、いくつかの実施例では、前記端末装置のモビリティ領域情報は前記端末装置の履歴移動領域情報に基づいて決定されたものである。
【０１４４】
選択肢として、いくつかの実施例では、前記端末装置のサービス情報は前記端末装置のサービス優先度情報及び／又は前記端末装置のネットワークスライス情報を含む。
【０１４５】
選択肢として、いくつかの実施例では、前記端末装置のネットワークスライス情報は前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含む。
【０１４６】
選択肢として、いくつかの実施例では、前記通信モジュール５１０は更に、前記第１情報及び前記第１情報の有効性情報を端末装置に設定することに用いられる。
【０１４７】
選択肢として、いくつかの実施例では、前記ネットワーク装置が第１アクセスネットワーク装置であり、前記第２ネットワーク装置がコアネットワーク装置又は第２アクセスネットワーク装置であり、又は、前記ネットワーク装置が第１コアネットワーク装置であり、前記第２ネットワーク装置が第２コアネットワーク装置又はアクセスネットワーク装置である。
【０１４８】
選択肢として、いくつかの実施例では、前記第１情報は、無線アクセス技術（ＲＡＴ）優先度情報、周波数優先度情報及びネットワークスライスの情報のうちの少なくとも１つを含む。
【０１４９】
理解されるように、本願の実施例に係るネットワーク装置５００は本願の方法実施例の第１ネットワーク装置に対応してもよく、且つネットワーク装置５００の各ユニットの上記及び他の操作及び／又は機能はそれぞれ図２に示される方法２００における第１ネットワーク装置の対応プロセスを実現するためのものであり、簡潔のために、ここで詳細な説明は省略する。
【０１５０】
図６は本願の実施例に係るネットワーク装置６００の模式的なブロック図を示す。図６に示すように、該ネットワーク装置６００は、
第１情報の有効性情報を決定することに用いられ、前記第１情報が無線アクセスパラメータであり、前記第１情報の有効性情報は前記第１情報の適用条件を示すことに用いられる決定モジュール６１０と、
第１ネットワーク装置に前記第１情報の有効性情報を送信することに用いられる通信モジュール６２０と、を備える。
【０１５１】
選択肢として、いくつかの実施例では、前記第１情報の有効性情報は前記第１情報の適用する時間情報及び／又は前記第１情報の適用する領域情報を含む。
【０１５２】
選択肢として、いくつかの実施例では、前記決定モジュール６１０は具体的に、前記端末装置の情報、前記端末装置のサービス情報、第３ネットワーク装置の提供する情報のうちの少なくとも１つに基づいて、前記第１情報の有効性情報を決定することに用いられる。
【０１５３】
選択肢として、いくつかの実施例では、前記端末装置の情報は前記端末装置のモビリティ領域情報及び／又は端末装置のサービス能力情報を含む。
【０１５４】
選択肢として、いくつかの実施例では、前記端末装置のモビリティ領域情報は前記端末装置の登録エリア情報、前記端末装置の追跡エリア情報、前記端末装置のページングエリア情報、設定されたセル又は基地局の集合のうちの少なくとも１つを含む。
【０１５５】
選択肢として、いくつかの実施例では、前記端末装置のモビリティ領域情報は前記端末装置の履歴移動領域情報に基づいて決定されたものである。
【０１５６】
選択肢として、いくつかの実施例では、前記端末装置のサービス情報は前記端末装置のサービス優先度情報及び／又は前記端末装置のネットワークスライス情報を含む。
【０１５７】
選択肢として、いくつかの実施例では、前記端末装置のネットワークスライス情報は前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含む。
【０１５８】
選択肢として、いくつかの実施例では、前記通信モジュール６２０は更に、前記第１ネットワーク装置に前記第１情報及び前記第１情報の有効性情報を送信することに用いられる。
【０１５９】
選択肢として、いくつかの実施例では、前記第１ネットワーク装置が第１アクセスネットワーク装置であり、前記ネットワーク装置がコアネットワーク装置又は第２アクセスネットワーク装置であり、又は、
前記第１ネットワーク装置が第１コアネットワーク装置であり、前記ネットワーク装置が第２コアネットワーク装置又はアクセスネットワーク装置である。
【０１６０】
選択肢として、いくつかの実施例では、前記第１情報は、無線アクセス技術（ＲＡＴ）優先度情報、周波数優先度情報及びネットワークスライスの情報のうちの少なくとも１つを含む。
【０１６１】
理解されるように、本願の実施例に係るネットワーク装置６００は本願の方法実施例の第２ネットワーク装置に対応してもよく、且つネットワーク装置６００の各ユニットの上記及び他の操作及び／又は機能はそれぞれ図３に示される方法３００における第２ネットワーク装置の対応プロセスを実現するためのものであり、簡潔のために、ここで詳細な説明は省略する。
【０１６２】
図７は本願の実施例に係る端末装置の模式的なブロック図である。図７における端末装置７００は、
第１ネットワーク装置から送信された第１情報を受信することに用いられ、前記第１情報が無線アクセスパラメータである通信モジュール７１０と、
前記第１情報の有効性情報に基づいて、前記第１情報を使用するかどうかを決定することに用いられ、前記第１情報の有効性情報は前記第１情報の適用条件を示すことに用いられる決定モジュール７２０と、を備える。
【０１６３】
選択肢として、いくつかの実施例では、前記第１情報の有効性情報は前記第１情報の適用する時間情報及び／又は前記第１情報の適用する領域情報を含む。
【０１６４】
選択肢として、いくつかの実施例では、前記決定モジュール７２０は更に、
現在時間が前記第１情報の適用する時間範囲内にある場合、前記第１情報を使用することを決定すること、又は、
現在時間が前記第１情報の適用する時間範囲内にない場合、前記第１情報を使用しないことを決定することに用いられる。
【０１６５】
選択肢として、いくつかの実施例では、前記決定モジュール７２０は更に、
前記端末装置の現在位置する領域が前記第１情報の適用する領域範囲内にある場合、前記第１情報を使用することを決定すること、又は、
前記端末装置の現在位置する領域が前記第１情報の適用する領域範囲内にない場合、前記第１情報を使用しないことを決定することに用いられる。
【０１６６】
選択肢として、いくつかの実施例では、前記決定モジュール７２０は更に、前記第１情報の有効性情報を決定することに用いられる。
【０１６７】
選択肢として、いくつかの実施例では、前記通信モジュール７１０は更に、前記第１ネットワーク装置が設定した前記第１情報の有効性情報を受信することに用いられる。
【０１６８】
選択肢として、いくつかの実施例では、前記決定モジュール７２０は更に、
前記端末装置に前記第１情報の適用する領域情報が設定されていない場合、前記第１情報の適用する領域を特定領域又は任意領域として決定することに用いられる。
【０１６９】
選択肢として、いくつかの実施例では、前記特定領域は、前記端末装置が現在駐在するセル、前記端末装置のページング領域、前記端末装置の登録領域、前記端末装置の追跡領域、前記端末装置のサービス領域のうちの少なくとも１つを含む。
【０１７０】
選択肢として、いくつかの実施例では、前記決定モジュール７２０は更に、
前記端末装置に前記第１情報の適用する時間情報が設定されていない場合、前記第１情報の適用する時間を任意時間又は特定時間として決定し、又は前記第１情報の適用する時間長さを任意時間長さ又は特定時間長さとして決定することに用いられる。
【０１７１】
選択肢として、いくつかの実施例では、前記特定時間は予め設定された時間又は通信システムが規定した時間であり、前記特定時間長さは予め設定された時間長さ又は通信システムが規定した時間長さである。
【０１７２】
選択肢として、いくつかの実施例では、前記第１情報の有効性情報は第２ネットワーク装置が前記端末装置の情報、前記端末装置のサービス情報、第３ネットワーク装置の提供する情報のうちの少なくとも１つに基づいて決定したものである。
【０１７３】
選択肢として、いくつかの実施例では、前記端末装置の情報は前記端末装置のモビリティ領域情報及び／又は端末装置のサービス能力情報を含む。
【０１７４】
選択肢として、いくつかの実施例では、前記端末装置のモビリティ領域情報は前記端末装置の登録エリア情報、前記端末装置の追跡エリア情報、前記端末装置のページングエリア情報、設定されたセル又は基地局の集合のうちの少なくとも１つを含む。
【０１７５】
選択肢として、いくつかの実施例では、前記端末装置のモビリティ領域情報は前記端末装置の履歴移動領域情報に基づいて決定されたものである。
【０１７６】
選択肢として、いくつかの実施例では、前記端末装置のサービス情報は前記端末装置のサービス優先度情報及び／又は前記端末装置のネットワークスライス情報を含む。
【０１７７】
選択肢として、いくつかの実施例では、前記端末装置のネットワークスライス情報は前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含む。
【０１７８】
選択肢として、いくつかの実施例では、前記第１ネットワーク装置が第１アクセスネットワーク装置であり、前記第２ネットワーク装置がコアネットワーク装置又は第２アクセスネットワーク装置であり、又は、前記第１ネットワーク装置が第１コアネットワーク装置であり、前記第２ネットワーク装置が第２コアネットワーク装置又はアクセスネットワーク装置である。
【０１７９】
選択肢として、いくつかの実施例では、前記第１情報は、無線アクセス技術（ＲＡＴ）優先度情報、周波数優先度情報及びネットワークスライスの情報のうちの少なくとも１つを含む。
【０１８０】
具体的に、端末装置７００は上記方法４００において説明される端末装置に対応してもよく（例えば、配置されてもよく又はそのものが上記方法４００において説明される端末装置である）、且つ、該端末装置７００の各モジュール又はユニットはそれぞれ上記方法４００における端末装置が実行する各動作又は処理過程を実行することに用いられ、重複を避けるために、ここで詳細な説明は省略する。
【０１８１】
図８に示すように、本願の実施例はネットワーク装置８００を更に提供し、前記ネットワーク装置８００は図５におけるネットワーク装置５００であってもよく、図２における方法２００に対応する第１ネットワーク装置に対応する内容を実行することに用いられることができる。前記ネットワーク装置８００は入力インターフェース８１０、出力インターフェース８２０、プロセッサ８３０及びメモリ８４０を備え、前記入力インターフェース８１０、出力インターフェース８２０、プロセッサ８３０及びメモリ８４０はバスシステムにより接続されてもよい。前記メモリ８４０はプログラム、命令又はコードを記憶することに用いられる。前記プロセッサ８３０は前記メモリ８４０におけるプログラム、命令又はコードを実行して、入力インターフェース８１０による信号受信、出力インターフェース８２０による信号送信を制御し、及び上記方法実施例における操作を遂行することに用いられる。
【０１８２】
理解されるように、本願の実施例では、前記プロセッサ８３０は中央処理装置（Ｃｅｎｔｒａｌ  Ｐｒｏｃｅｓｓｉｎｇ  Ｕｎｉｔ、「ＣＰＵ」と略称）であってもよく、前記プロセッサ８３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタ論理回路、個別ハードウェアコンポーネント等であってもよい。汎用プロセッサはマイクロプロセッサであってもよく、又は前記プロセッサはいかなる通常のプロセッサ等であってもよい。
【０１８３】
前記メモリ８４０は読み出し専用メモリ及びランダムアクセスメモリを含んでもよく、且つプロセッサ８３０に命令及びデータを提供する。メモリ８４０の一部は更に不揮発性ランダムアクセスメモリを含んでもよい。例えば、メモリ８４０には更に装置タイプの情報が記憶されてもよい。
【０１８４】
実現過程において、上記方法の各内容はプロセッサ８３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体はメモリ８４０に位置し、プロセッサ８３０はメモリ８４０における情報を読み取り、そのハードウェアと組み合わせて上記方法の内容を行う。重複を避けるために、ここで詳細な説明は省略する。
【０１８５】
具体的な実施形態では、図５におけるネットワーク装置５００に含まれる通信モジュール５１０は図８における前記入力インターフェース８１０及び前記出力インターフェース８２０により実現されてもよい。
【０１８６】
図９に示すように、本願の実施例はネットワーク装置９００を更に提供し、前記ネットワーク装置９００は図６におけるネットワーク装置６００であってもよく、図３における方法３００に対応する第２ネットワーク装置の内容を実行することができる。前記ネットワーク装置９００は入力インターフェース９１０、出力インターフェース９２０、プロセッサ９３０及びメモリ９４０を備え、前記入力インターフェース９１０、出力インターフェース９２０、プロセッサ９３０及びメモリ９４０はバスシステムにより接続されてもよい。前記メモリ９４０はプログラム、命令又はコードを記憶することに用いられる。前記プロセッサ９３０は前記メモリ９４０におけるプログラム、命令又はコードを実行して、入力インターフェース９１０による信号受信、出力インターフェース９２０による信号送信を制御し、及び上記方法実施例における操作を遂行することに用いられる。
【０１８７】
理解されるように、本願の実施例では、前記プロセッサ９３０は中央処理装置（Ｃｅｎｔｒａｌ  Ｐｒｏｃｅｓｓｉｎｇ  Ｕｎｉｔ、「ＣＰＵ」と略称）であってもよく、前記プロセッサ９３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタ論理回路、個別ハードウェアコンポーネント等であってもよい。汎用プロセッサはマイクロプロセッサであってもよく、又は前記プロセッサはいかなる通常のプロセッサ等であってもよい。
【０１８８】
前記メモリ９４０は読み出し専用メモリ及びランダムアクセスメモリを含んでもよく、且つプロセッサ９３０に命令及びデータを提供する。メモリ９４０の一部は更に不揮発性ランダムアクセスメモリを含んでもよい。例えば、メモリ９４０に更に装置タイプの情報が記憶されてもよい。
【０１８９】
実現過程において、上記方法の各内容はプロセッサ９３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体はメモリ９４０に位置し、プロセッサ９３０はメモリ９４０における情報を読み取り、そのハードウェアと組み合わせて上記方法の内容を行う。重複を避けるために、ここで詳細な説明は省略する。
【０１９０】
具体的な実施形態では、図６におけるネットワーク装置６００に含まれる決定モジュール６１０は図９におけるプロセッサ９３０により実現されてもよく、図６におけるネットワーク装置６００に含まれる通信モジュール６２０は図９における前記入力インターフェース９１０及び前記出力インターフェース９２０により実現されてもよい。
【０１９１】
図１０に示すように、本願の実施例は端末装置１０００を更に提供し、前記端末装置１０００は図７における端末装置７００であってもよく、図４における方法４００における端末装置に対応する内容を実行することができる。前記端末装置１０００は入力インターフェース１０１０、出力インターフェース１０２０、プロセッサ１０３０及びメモリ１０４０を備え、前記入力インターフェース１０１０、出力インターフェース１０２０、プロセッサ１０３０及びメモリ１０４０はバスシステムにより接続されてもよい。前記メモリ１０４０はプログラム、命令又はコードを記憶することに用いられる。前記プロセッサ１０３０は前記メモリ１０４０におけるプログラム、命令又はコードを実行して、入力インターフェース１０１０による信号受信、出力インターフェース１０２０による信号送信を制御し、及び上記方法実施例における操作を遂行することに用いられる。
【０１９２】
理解されるように、本願の実施例では、前記プロセッサ１０３０は中央処理装置（Ｃｅｎｔｒａｌ  Ｐｒｏｃｅｓｓｉｎｇ  Ｕｎｉｔ、「ＣＰＵ」と略称）であってもよく、前記プロセッサ１０３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタ論理回路、個別ハードウェアコンポーネント等であってもよい。汎用プロセッサはマイクロプロセッサであってもよく、又は前記プロセッサはいかなる通常のプロセッサ等であってもよい。
【０１９３】
前記メモリ１０４０は読み出し専用メモリ及びランダムアクセスメモリを含んでもよく、且つプロセッサ１０３０に命令及びデータを提供する。メモリ１０４０の一部は更に不揮発性ランダムアクセスメモリを含んでもよい。例えば、メモリ１０４０に更に装置タイプの情報が記憶されてもよい。
【０１９４】
実現過程において、上記方法の各内容はプロセッサ１０３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体はメモリ１０４０に位置し、プロセッサ１０３０はメモリ１０４０における情報を読み取り、そのハードウェアと組み合わせて上記方法の内容を行う。重複を避けるために、ここで詳細な説明は省略する。
【０１９５】
具体的な実施形態では、図７における端末装置７００に含まれる決定モジュール７２０は図１０における前記プロセッサ１０３０により実現されてもよく、図７における端末装置７００に含まれる通信モジュール７１０は図１０における前記入力インターフェース１０１０及び前記出力インターフェース１０２０により実現されてもよい。
【０１９６】
本願の実施例はコンピュータ可読記憶媒体を更に提供し、該コンピュータ可読記憶媒体に１つ又は複数のプログラムが記憶され、該１つ又は複数のプログラムが命令を含み、該命令が複数のアプリケーションプログラムを含むポータブル電子機器により実行されるとき、該ポータブル電子機器が図２〜図４に示される実施例の方法を実行するようにすることができる。
【０１９７】
本願の実施例はコンピュータプログラムを更に提供し、該コンピュータプログラムが命令を含み、該コンピュータプログラムがコンピュータにより実行されるとき、コンピュータが図２〜図４に示される実施例の方法の対応プロセスを実行できるようにする。
【０１９８】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１９９】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０２００】
本願に係るいくつかの実施例において、理解されるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０２０１】
分離部材として説明される前記ユニットは物理的に分離してもよく、物理的に分離しなくてもよく、ユニットとして表示される部材は物理ユニットであってもよく、物理ユニットでなくてもよく、即ち一箇所に位置してもよく、複数のネットワークユニットに配置されてもよい。実際の必要に応じて、その一部又は全部のユニットを選択して本実施例案の目的を実現してもよい。
【０２０２】
また、本願の各実施例では、各機能ユニットは１つの処理ユニットに統合されてもよく、各ユニットは独立して物理的に存在してもよく、２つ以上のユニットは１つのユニットに統合されてもよい。
【０２０３】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は前記技術案の一部はソフトウェア製品の形式で具現されてもよく、前記コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０２０４】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021519554.tif 000003
【図２】
2021519554.tif 000004
【図３】
2021519554.tif 000005
【図４】
2021519554.tif 000006
【図５】
2021519554.tif 000007
【図６】
2021519554.tif 000008
【図７】
2021519554.tif 000009
【図８】
2021519554.tif 000010
【図９】
2021519554.tif 000011
【図１０】
2021519554.tif 000012
【手続補正書】
【提出日】令和2年12月1日(2020.12.1)
【手続補正１】
【補正対象書類名】明細書
【補正対象項目名】００５９
【補正方法】変更
【補正の内容】
【００５９】
選択肢として、該第１ネットワーク装置１１０又は該第２ネットワーク装置１２０は更に無線通信システム１００におけるコアネットワーク装置、例えばＬＴＥシステムにおけるモビリティ管理エンティティ（ＭＭＥ、Ｍｏｂｉｌｉｔｙ  Ｍａｎａｇｅｍｅｎｔ  Ｅｎｔｉｔｙ）又はサービスゲートウェイ（ＳＧＷ、Ｓｅｒｖｉｃｅ  Ｇａｔｅｗａｙ）等であってもよく、又は５Ｇシステムにおけるアクセス管理機能（ＡＭＦ、Ａｃｃｅｓｓ  Ｍａｎａｇｅｍｅｎｔ  Ｆｕｎｃｔｉｏｎ）、パケットデータネットワークゲートウェイ（ＰＧＷ、Ｐａｃｋｅｔ  Ｄａｔａ  Ｎｅｔｗｏｒｋ  Ｇａｔｅｗａｙ）、ユーザープレーン機能（ＵＰＦ、Ｕｓｅｒ  Ｐｌａｎｅ  Ｆｕｎｃｔｉｏｎ）、制御プレーン機能（ＣＰＦ、Ｃｏｎｔｒｏｌ  Ｐｌａｎｅ  Ｆｕｎｃｔｉｏｎ）等であってもよく、本願の実施例は制限しない。
【手続補正２】
【補正対象書類名】特許請求の範囲
【補正対象項目名】全文
【補正方法】変更
【補正の内容】
【特許請求の範囲】
【請求項１】
通信方法であって、
端末装置が第１ネットワーク装置から送信された第１情報を受信し、前記第１情報が無線アクセスパラメータであることと、
前記端末装置が前記第１情報の有効性情報に基づいて、前記第１情報を使用するかどうかを決定し、前記第１情報の有効性情報は前記第１情報の適用条件を示すことに用いられることと、を含むことを特徴とする通信方法。
【請求項２】
前記第１情報の有効性情報は前記第１情報の適用する時間情報及び／又は前記第１情報の適用する領域情報を含むことを特徴とする請求項１に記載の方法。
【請求項３】
前記端末装置が前記第１情報の有効性情報に基づいて、前記第１情報を使用するかどうかを決定することは、
現在時間が前記第１情報の適用する時間範囲内にある場合、前記端末装置は前記第１情報を使用することを決定すること、又は、
現在時間が前記第１情報の適用する時間範囲内にない場合、前記端末装置は前記第１情報を使用しないことを決定することを含むことを特徴とする請求項１又は２に記載の方法。
【請求項４】
前記端末装置が前記第１情報の有効性情報に基づいて、前記第１情報を使用するかどうかを決定することは、
前記端末装置の現在位置する領域が前記第１情報の適用する領域範囲内にある場合、前記端末装置は前記第１情報を使用することを決定すること、又は、
前記端末装置の現在位置する領域が前記第１情報の適用する領域範囲内にない場合、前記端末装置は前記第１情報を使用しないことを決定することを含むことを特徴とする請求項１〜３のいずれか１項に記載の方法。
【請求項５】
前記方法は更に、
前記端末装置が前記第１情報の有効性情報を決定することを含むことを特徴とする請求項１〜４のいずれか１項に記載の方法。
【請求項６】
前記端末装置が前記第１情報の有効性情報を決定することは、
前記端末装置が前記第１ネットワーク装置の設定した前記第１情報の有効性情報を受信することを含むことを特徴とする請求項５に記載の方法。
【請求項７】
前記端末装置が前記第１情報の有効性情報を決定することは、
前記端末装置に前記第１情報の適用する領域情報が設定されていない場合、前記端末装置が前記第１情報の適用する領域を特定領域又は任意領域として決定することを含むことを特徴とする請求項５又は６に記載の方法。
【請求項８】
前記端末装置が前記第１情報の有効性情報を決定することは、
前記端末装置に前記第１情報の適用する時間情報が設定されていない場合、前記端末装置が前記第１情報の適用する時間を任意時間又は特定時間として決定し、又は前記第１情報の適用する時間長さを任意時間長さ又は特定時間長さとして決定することを含むことを特徴とする請求項５〜７のいずれか１項に記載の方法。
【請求項９】
前記第１情報の有効性情報は、第２ネットワーク装置が前記端末装置の情報、前記端末装置のサービス情報、第３ネットワーク装置の提供する情報のうちの少なくとも１つに基づいて決定したものであることを特徴とする請求項１〜８のいずれか１項に記載の方法。
【請求項１０】
前記端末装置の情報は前記端末装置のモビリティ領域情報及び／又は端末装置のサービス能力情報を含むことを特徴とする請求項９に記載の方法。
【請求項１１】
前記端末装置のモビリティ領域情報は、前記端末装置の登録エリア情報、前記端末装置の追跡エリア情報、前記端末装置のページングエリア情報、設定されたセル又は基地局の集合のうちの少なくとも１つを含むことを特徴とする請求項１０に記載の方法。
【請求項１２】
前記端末装置のモビリティ領域情報は前記端末装置の履歴移動領域情報に基づいて決定されたものであることを特徴とする請求項１０又は１１に記載の方法。
【請求項１３】
前記端末装置のサービス情報は前記端末装置のサービス優先度情報及び／又は前記端末装置のネットワークスライス情報を含むことを特徴とする請求項９〜１２のいずれか１項に記載の方法。
【請求項１４】
前記端末装置のネットワークスライス情報は、前記端末装置が契約したネットワークスライスの情報、ネットワーク装置が設定したネットワークスライスの情報、前記端末装置がアクセスを許容するネットワークスライスの情報、前記端末装置がアクセスを要求するネットワークスライスの情報のうちの少なくとも１つを含むことを特徴とする請求項１３に記載の方法。
【請求項１５】
端末装置であって、請求項１〜１４のいずれか１項に記載の方法を実行するように構成されることを特徴とする端末装置。
【国際調査報告】
2021519554.tif 000013
2021519554.tif 000014
2021519554.tif 000015
2021519554.tif 000016